(57)【要約】【課題】  完全な燃焼が達成できる、油分子共振の励起及び反応物分子の整列に適用する磁力放出装置を提供する。【解決手段】  自動車のエンジン室１の所定部位に取付けられ、エンジン室１内の蓄電池２の電極側に設けられ少なくとも一つを有する第一磁力放出部２０と、エンジン室１内の燃焼室のエヤインテェクチャネル側に設けられ少なくとも一つを有する第二磁力放出部３０とを含み、第一、二磁力放出部２０、３０で発生する左廻り磁力により蓄電池２の電子と、エヤインテェクチャネル中のエヤ分子とが適当に整列され、それらで発生する左廻り磁力により燃焼室に進入する燃料油のアルキル分子が励起され、ひいては各反応物の分子が一致して整列し活発化され、完全な燃焼が達成可能であることを特徴とする油分子共振の励起及び反応物分子の整列に適用する磁力放出装置である。【選択図】    図１
0003105851.tif 000002
【実用新案登録請求の範囲】
【請求項１】
自動車のエンジン室の所定部位に取付けられ、
前記エンジン室内の蓄電池の電極側に設けられ少なくとも一つを有する第一磁力放出部と、
前記エンジン室内の燃焼室のエヤインテェクチャネル側に設けられ少なくとも一つを有する第二磁力放出部とを備え、
前記第一磁力放出部、前記第二磁力放出部で発生する左廻り磁力により、蓄電池の電子とエヤインテェクチャネル中のエヤ分子とが適当に整列され、且つそれらで発生する左廻り磁力により前記燃焼室に進入する燃料油のアルキル分子が励起され、各反応物の分子が一致して整列し活発化され、完全な燃焼が達成可能であることを特徴とする油分子共振の励起及び反応物分子の整列に適用する磁力放出装置。
【請求項２】
前記第一磁力放出部は二つ設置され、前記蓄電池の陰陽電極側に近接する箇所に別々に設置されることを特徴とする請求項１に記載の油分子共振の励起及び反応物分子の整列に適用する磁力放出装置。
【請求項３】
前記第二磁力放出部は四つ設置され、前記エヤインテェクチャネル中に別々に設置されることを特徴とする請求項１に記載の油分子共振の励起及び反応物分子の整列に適用する磁力放出装置。
【請求項４】
前記第二磁力放出部は、それぞれ前記エヤインテェクチャネル中のエヤフイルタのエヤインテェク端に別々に設置されることを特徴とする請求項３に記載の油分子共振の励起及び反応物分子の整列に適用する磁力放出装置。
【考案の詳細な説明】
【技術分野】
【０００１】
本考案は油分子共振の励起及び反応物分子の整列に適用する磁力放出装置に関するものである。
【背景技術】
【０００２】
磁力作用を応用する従来の燃費節約装置において、一般には磁化された金属ブロックを自動車の油路の周面に取り付けることにより、燃料油が前記金属ブロックによって発生する磁界を通過するときに磁力を受けて所望の整列効果が得られるので、燃焼室における燃焼効率が向上し、燃費節約効果が得られる。
【０００３】
しかしながら、このような従来の燃費節約装置は単純に磁力を利用しているが、燃焼室内で燃焼するのは単に燃料油のアルキル化合物だけでなく充分な酸素及び適切な点火装置も必要であることを忽せにし、各反応物が共同励起しないので、アルキル化合物の完全な燃焼が達成できない。
【考案の開示】
【考案が解決しようとする課題】
【０００４】
本考案の目的は、その左廻り磁力により前記燃焼室に進入する燃料油のアルキル分子が励起され、ひいては各反応物の分子が一致して整列し活発化され、完全な燃焼が達成できる、油分子共振の励起及び反応物分子の整列に適用する磁力放出装置を提供する。
【課題を解決するための手段】
【０００５】
上記目的を達成するためになされた本考案は、自動車のエンジン室の所定部位に取付けられ、前記エンジン室内の蓄電池の電極側に設けられ少なくとも一つを有する第一磁力放出部と、前記エンジン室内の燃焼室のエヤインテェクチャネル側に設けられ少なくとも一つを有する第二磁力放出部とを含み、前記第一、二磁力放出部で発生する左廻り磁力により蓄電池の電子とエヤインテェクチャネル中のエヤ分子とが適当に整列され、且つそれらで発生する左廻り磁力により前記燃焼室に進入する燃料油のアルキル分子が励起され、ひいては各反応物の分子が一致して整列し活発化され、完全な燃焼が達成可能であることを特徴とする油分子共振の励起及び反応物分子の整列に適用する磁力放出装置であることを要旨としている。
【０００６】
本考案では、前記第一磁力放出部は、設置される数量が二つあり、且つ前記蓄電池の陰陽電極側に近接する箇所に別々に設置されることを特徴とする請求項１に記載の油分子共振の励起及び反応物分子の整列に適用する磁力放出装置であることを要旨としている。
【０００７】
本考案では、前記第二磁力放出部は、設置される数量が四つあり、且つ前記エヤインテェクチャネル中に別々に設置されることを特徴とする請求項１に記載の油分子共振の励起及び反応物分子の整列に適用する磁力放出装置であることを要旨としている。
【０００８】
本考案では、前記各第二磁力放出部は、前記エヤインテェクチャネル中のエヤフイルタのエヤインテェク端に別々に設置されることを特徴とする請求項３に記載の油分子共振の励起及び反応物分子の整列に適用する磁力放出装置であることを要旨としている。
【考案の効果】
【０００９】
本考案に係る油分子共振の励起及び反応物分子の整列に適用する磁力放出装置によれば、次のような効果がある。
（イ）燃焼室に進入する燃料油のアルキル分子が励起され、ひいては各反応物の分子が一致して整列し活発化され、完全な燃焼が達成できる。
（ロ）エヤフイルタを通過してエヤインテェクチャネルに進入するエヤ分子が整列されて酸素濃度が向上し、これにより、燃焼室へ供給される酸素が充分になり、燃料油の完全な燃焼が可能になる。
（ハ）蓄電池の陰陽電極を通過する電子は、整然と整列され、燃焼室へ供給して点火するときに、その放出エネルギーが最大になる。
【考案を実施するための最良の形態】
【００１０】
以下、添付図面を参照して本考案の好適な一実施例を詳細に説明する。
本考案の一実施例に係る、油分子共振の励起及び反応物分子の整列に適用する磁力放出装置１０は、自動車のエンジン室１の適当な部位に取付けられ、二つの第一磁力放出部２０と、四つの第二磁力放出部３０とから構成される。
【００１１】
二つの前記第一磁力放出部２０は管状を呈し、中空な内部が磁化された有機物を収容し、予定の強さの左廻り磁力が発生し、それぞれ前記エンジン室１の蓄電池２の陰陽電極２ａ、２ｂ付近に設置される。具体に説明すれば、本実施例に係る第一磁力放出部２０は、適当なバンドを利用して前記各陰陽電極２ａ、２ｂのケーブルに固定され、その発生する左廻り磁力により陰陽電極２ａ、２ｂを通過する電子は整然と整列され、燃焼室へ供給して点かするときにその放出エネルギーが最大になる。
【００１２】
また、前記第二磁力放出部３０は前記第一磁力放出部２０と同様な構成を有し、酸素を吸入するためのエヤインテェクチャネルの付近に設置され、具体に説明すれば、本実施例に係る第二磁力放出部３０は、エヤフイルタ３のエヤインテェク側に設置され、その発生する左廻り磁力によりエヤフイルタ３を通過してエヤインテェクチャネルに進入するエヤ分子が整列されて酸素濃度が向上し、これにより燃焼室へ供給される酸素が充分になり、燃料油の完全な燃焼が可能になる。
【００１３】
前記各第一、二磁力放出部２０、３０で発生する左廻り磁力により、前記エンジン室内の広範囲に作用され、燃焼に参与する各反応物が整列された後、再び広範囲な左廻り磁力を受けるので、燃料油のアルキル分子が励起され、ひいては各反応物の分子が一致して整列し活発化され、完全な燃焼が達成できる。
【図面の簡単な説明】
【００１４】
【図１】本考案の一実施例による油分子共振の励起及び反応物分子の整列に適用する磁力放出装置を示す外観斜視図である。
【図２】本考案の一実施例による油分子共振の励起及び反応物分子の整列に適用する磁力放出装置のエヤインテェクチャネルを示す平面図である。
【図３】本考案の一実施例による油分子共振の励起及び反応物分子の整列に適用する磁力放出装置を使用している状態を示す平面図である。
【符号の説明】
【００１５】
１  エンジン室、１０  磁力放出装置、２０  第一磁力放出部、３０  第二磁力放出部、２  蓄電池、２ａ  陽極、２ｂ  陰極、３  エヤフイルタ
【図１】
0003105851.tif 000003
【図２】
0003105851.tif 000004
【図３】
0003105851.tif 000005